(57)【要約】本発明は、投入口が備えられたキャビネット；前記キャビネット内に備えられて衣類が収容される空間を提供し、前記投入口に連通する第１チャンバー；前記キャビネットに備えられ、前記第１チャンバーと区分された空間を形成する第２チャンバー；前記第２チャンバー内に備えられて前記第１チャンバーに空気と水分のいずれかを供給する供給部；前記キャビネットに回転可能に固定されて前記投入口を開閉する第１ボディー及び前記第１ボディーに固定されて前記キャビネットの前面を形成する第２ボディーが備えられたドア；前記供給部を制御する制御部；及び前記ドアに備えられてユーザが発した音声を認識し、認識した音声に対応する制御命令を前記制御部に送信する音声認識部；を含む衣類処理装置に関する。
2021535781.tif 000002
【特許請求の範囲】
【請求項１】
衣類処理装置であって、
投入口が備えられたキャビネット；
前記キャビネット内に備えられて衣類が収容される空間を提供し、前記投入口に連通する第１チャンバー；
前記キャビネットに備えられ、前記第１チャンバーと区分された空間を形成する第２チャンバー；
前記第２チャンバー内に備えられて前記第１チャンバーに空気と水分のいずれかを供給する供給部；
前記キャビネットに回転可能に固定されて前記投入口を開閉する第１ボディー及び前記第１ボディーに固定されて前記キャビネットの前面を形成する第２ボディーが備えられたドア；
前記供給部を制御する制御部；及び
前記ドアに備えられてユーザが発した音声を認識し、認識した音声に対応する制御命令を前記制御部に送信する音声認識部；を備えることを特徴とする、衣類処理装置。
【請求項２】
前記音声認識部は、
前記ドアに固定されて前記ドアの上面、前記ドアの左側面、前記ドアの右側面及び前記ドアの下面のいずれかの面を形成する取付ボディー；
前記取付ボディーから突出した収容チャンバーを形成するチャンバー形成部；
前記取付ボディーに固定されて前記収容チャンバー内に位置するマイクロホン；及び
前記チャンバー形成部を貫通して前記収容チャンバーに連通する連通孔；を備えることを特徴とする、請求項１に記載の衣類処理装置。
【請求項３】
前記第１ボディーの上面が凹んで折り曲げられて前記取付ボディーが挿入される空間を提供する第１取付溝；を更に備え、
前記収容チャンバー及び前記連通孔は前記第１取付溝の外部に位置することを特徴とする、請求項２に記載の衣類処理装置。
【請求項４】
前記連通孔は２つ以上からなることを特徴とする、請求項３に記載の衣類処理装置。
【請求項５】
前記音声認識部は、前記第１ボディーに固定されて前記マイクロホンで送信される音声をテキスト又はコードに変換し、変換されたテキストやコードを前記制御部に送信する分析器；を更に備えることを特徴とする、請求項３に記載の衣類処理装置。
【請求項６】
前記第１ボディーが提供する空間のうち、前記第２ボディーに向かう面の縁部に沿って備えられて、前記第２ボディーを前記第１ボディーに固定するテープ；
前記テープを貫通して前記第１ボディーと前記第２ボディーの間に形成された空間を前記ドアの外部に連通させるテープ貫通孔；及び
前記第１ボディーと前記第２ボディーの間に形成された空間に備えられて、サウンド信号を発生させるサウンド発生部；を更に備えることを特徴とする、請求項５に記載の衣類処理装置。
【請求項７】
前記サウンド発生部は前記マイクロホンが録音を開始する時点を知らせるサウンド信号を発生することを特徴とする、請求項６に記載の衣類処理装置。
【請求項８】
前記分析器がユーザの音声をテキスト又はコードに変換できなかった場合、前記サウンド発生部は音声認識に失敗したことを知らせるサウンド信号を発生することを特徴とする、請求項６に記載の衣類処理装置。
【請求項９】
前記テープは、前記第１ボディーが提供する空間のうち、前記第２ボディーに向かう面の左側縁部に沿って備えられる第１テープ；及び前記第１ボディーが提供する空間のうち、前記第２ボディーに向かう面の右側縁部に沿って備えられる第２テープ；を備え、
前記テープ貫通孔は、前記第１テープを貫通するように備えられるテープ第１貫通孔；及び前記第２テープを貫通するように備えられるテープ第２貫通孔；を備え、
前記サウンド発生部は前記テープ第１貫通孔と前記テープ第２貫通孔の間に位置することを特徴とする、請求項６に記載の衣類処理装置。
【請求項１０】
前記第１ボディーが前記第２ボディーから離れる方向に凹んで取り曲げられた溝からなり、前記サウンド発生部が固定される第２取付溝；を更に備えることを特徴とする、請求項９に記載の衣類処理装置。
【請求項１１】
制御命令が表示される表示部及びユーザから制御命令が入力される入力部が備えられる制御パネル；
前記第１ボディーが前記第２ボディーから離れる方向に凹んで折り曲げられた溝からなり、前記制御パネルが収容される空間を提供する第３取付溝；及び
前記第２ボディーに備えられ、前記制御パネルを前記ドアの外部に露出させる透明領域；を更に備えることを特徴とする、請求項９に記載の衣類処理装置。
【請求項１２】
前記入力部から制御命令が入力された場合又は選択された制御命令の実行中にエラーが発生した場合にサウンド信号を発生させる警報部；を更に備え、
前記警報部は前記テープ第１貫通孔と前記テープ第２貫通孔の間に位置することを特徴とする、請求項９に記載の衣類処理装置。
【発明の詳細な説明】
【技術分野】
【０００１】
本発明は衣類処理装置に関する。
【背景技術】
【０００２】
衣類処理装置は衣類を洗濯する装置、衣類を乾燥する装置、衣類の洗濯と乾燥を選択的に実行可能な装置、及び衣類をリフレッシュ(ｒｅｆｒｅｓｈ)する装置を全て含む概念である。
【０００３】
洗濯装置は衣類が貯蔵されたドラムを水が貯蔵されたタブ内で回転させることにより(衣類と水を摩擦させることにより)衣類から汚物を取り除く装置であり、乾燥装置は衣類が貯蔵されたドラムに加熱された空気を供給することにより衣類から水分を除去する装置である。衣類をリフレッシュする装置は水分(スチーム、ミストなど)と熱風のいずれかを衣類に供給することにより臭いやシワを除去する装置である。
【０００４】
従来の衣類処理装置にはユーザが制御命令を入力し、ユーザに衣類処理装置の作動に関連する情報を提供する制御パネルが備えられる。従来、衣類処理装置に備えられた制御パネルとしては、ボタンやノブ(ｋｎｏｂ)形態の入力部、又はタッチスクリーン形態の入力部を有することが一般的である。
【０００５】
上記形態の入力部では、ユーザが入力部に接触可能な距離まで移動しないと衣類処理装置を操作できないので、衣類処理装置から離隔した位置では衣類処理装置を制御できないという限界がある。
【発明の概要】
【発明が解決しようとする課題】
【０００６】
本発明はユーザの音声を制御命令として認識する衣類処理装置を提供することを解決課題とする。
【０００７】
また本発明はユーザの音声を認識し、認識した音声に対応する制御命令に従って作動する衣類処理装置を提供することを解決課題とする。
【課題を解決するための手段】
【０００８】
本発明は、衣類が収容される空間を提供し、投入口が備えられる第１チャンバー；第１チャンバーに空気と水分のいずれかを供給する供給部；投入口を開閉するドア；供給部を制御する制御部；及びドアに備えられてユーザが発した音声を認識し、認識した音声に対応する制御命令を制御部に送信する音声認識部；を含む（備える；構成する）衣類処理装置を提供する。
【０００９】
音声認識部は、ドアに固定されてドアの上面、ドアの左側面、ドアの右側面及びドアの下面のいずれかの面を形成する取付ボディー；取付ボディーから突出した収容チャンバーを形成するチンバー形成部；取付ボディーに固定されて収容チャンバー内に位置するマイクロホン；及びチャンバー形成部を貫通して収容チャンバーに連通する連通孔；を含む。
【００１０】
本発明は、投入口が備えられたキャビネット；キャビネット内に備えられて衣類が収容される空間を提供し、投入口に連通する第１チャンバー；キャビネットに備えられ、第１チャンバーと区分された空間を形成する第２チャンバー；第２チャンバー内に備えられて第１チャンバーに空気と水分のいずれかを供給する供給部；キャビネットに回転可能に固定されて投入口を開閉する第１ボディー及び第１ボディーに固定されてキャビネットの前面を形成する第２ボディーが備えられたドア；供給部を制御する制御部；及びドアに備えられてユーザが発した音声を認識し、認識した音声に対応する制御命令を制御部に送信する音声認識部；を含む衣類処理装置を提供する。
【００１１】
音声認識部は、ドアに固定されてドアの上面、ドアの左側面、ドアの右側面及びドアの下面のいずれかの面を形成する取付ボディー；取付ボディーから突出した収容チャンバーを形成するチャンバー形成部；取付ボディーに固定されて収容チャンバー内に位置するマイクロホン；及びチャンバー形成部を貫通して収容チャンバーに連通する連通孔；を含む。
【００１２】
本発明は、第１ボディーの上面が凹んで折り曲げられて取付ボディーが挿入される空間を提供する第１取付溝；をさらに含み、収容チャンバー及び連通孔は第１取付溝の外部に位置する。
【００１３】
連通孔はチャンバー形成部を貫通する２つ以上の孔からなる。
【００１４】
音声認識部は、第１ボディーに固定されてマイクロホンで送信される音声をテキスト又はコードに変換し、変換されたテキストやコードを制御部に送信する分析器；をさらに含む。
【００１５】
本発明は、第１ボディーが提供する空間のうち、第２ボディーに向かう面の縁部に沿って備えられて、第２ボディーを第１ボディーに固定するテープ；テープを貫通して第１ボディーと第２ボディーの間に形成された空間をドアの外部に連通させるテープ貫通孔；及び第１ボディーと第２ボディーの間に形成された空間に備えられて、サウンド信号を発生させるサウンド発生部；をさらに含む。
【００１６】
サウンド発生部はマイクロホンが録音を開始する時点を知らせるサウンド信号を発生するように備えられる。
【００１７】
分析器がユーザの音声をテキスト又はコードに変換できなかった場合、サウンド発生部は音声認識に失敗したことを知らせるサウンド信号を発生するように備えられる。
【００１８】
分析器がユーザの音声をテキスト又はコードに変換することが完了すると、サウンド発生部は音声認識が完了したことを知らせるサウンド信号を発生するように備えられる。
【００１９】
テープは、第１ボディーが提供する空間のうち、第２ボディーに向かう面の左側縁部に沿って備えられる第１テープ；及び第１ボディーが提供する空間のうち、第２ボディーに向かう面の右側縁部に沿って備えられる第２テープ；を含み、テープ貫通孔は、第１テープを貫通するように備えられるテープ第１貫通孔；及び第２テープを貫通するように備えられるテープ第２貫通孔；を含み、サウンド発生部はテープ第１貫通孔とテープ第２貫通孔の間に位置する。
【００２０】
本発明は、第１ボディーが第２ボディーから離れる方向に凹んで取り曲げられた溝からなり、サウンド発生部が固定される第２取付溝；をさらに含む。
【００２１】
本発明は、制御命令が表示される表示部及びユーザから制御命令が入力される入力部が備えられる制御パネル；第１ボディーが第２ボディーから離れる方向に凹んで折り曲げられた溝からなり、制御パネルが収容される空間を提供する第３取付溝；及び第２ボディーに備えられ、制御パネルをドアの外部に露出させる透明領域；をさらに含む。
【００２２】
本発明は、入力部から制御命令が入力された場合又は選択された制御命令の実行中にエラーが発生した場合にサウンド信号を発生させる警報部；をさらに含み、警報部はテープ第１貫通孔とテープ第２貫通孔の間に位置する。
【発明の効果】
【００２３】
本発明によれば、ユーザの音声を制御命令として認識する衣類処理装置を提供することができる。
【００２４】
また本発明によれば、ユーザの音声を認識し、認識した音声に対応する制御命令に従って作動する衣類処理装置を提供することができる。
【図面の簡単な説明】
【００２５】
【図１】本発明による衣類処理装置の一例を示す図である。
【図２】本発明による衣類処理装置の一例を示す図である。
【図３】本発明による衣類処理装置の一例を示す図である。
【図４】本発明に備えられたドアの一例を示す図である。
【図５】本発明に備えられた音声認識部の一例を示す図である。
【発明を実施するための形態】
【００２６】
以下、添付する図面に基づいて本発明の好ましい実施例について詳しく説明する。以下に記載する装置の構成や制御方法は本発明の実施例を説明するためものであり、本発明の権利範囲を限定するものではない。また明細書全般において、同一の参照番号は同一の構成要素を示す。
【００２７】
図１に示すように、本発明による衣類処理装置１００は、外観を形成するキャビネット１と、キャビネット内に備えられて衣類が収容される空間を提供する第１チャンバー１１１を含む。図２に示すように、キャビネット内には第１チャンバーと分離された空間を形成し、第１チャンバーの下部に位置する第２チャンバー１１２が備えられる。第２チャンバー１１２の内部には第１チャンバー１１１に水分と空気のいずれかを供給する供給部４，５が備えられる。図２及び図３には供給部４，５が第１チャンバー１１１に空気を供給する空気供給部４及び第１チャンバーに水分を供給する水分供給部５からなる一例が示されている。
【００２８】
図２に示すように、キャビネット１は前面に投入口１３が設けられたキャビネットボディー１１を含む。この場合、第１チャンバー１１１はキャビネットボディー１１に固定されて投入口１３に連通し、第１チャンバー１１１と第２チャンバー１１２はキャビネットボディー１１の内部空間を上部空間と下部空間に区分する第１隔壁１５により互いに区分される。
【００２９】
キャビネットボディー１１には第１チャンバー１１１の下部及び第２チャンバー１１２の前方に位置するタンク取付部１１４が設けられる。タンク取付部１１４は第１隔壁１５により第１チャンバー１１１と区分され、第２隔壁１７により第２チャンバー１１２と区分された空間を形成する。
【００３０】
第１隔壁１５には第１チャンバー１１１と第２チャンバー１１２を連通する第１連通孔１５１及び第２連通孔１５２が設けられる。
【００３１】
空気供給部４は、第２チャンバー１１２に備えられた循環ダクト４１、循環ダクトに流入した空気の除湿と加熱を順に行う熱交換部４３、及び熱交換部４３で発生する凝縮水を第２チャンバー１１２の外部に排出する集水部４７を含む。
【００３２】
循環ダクトは、第１連通孔１５１に連結された吸気ダクト４１１、第２連通孔１５２に連結された排気ダクト４１２、及び吸気ダクトと排気ダクトを連結する連結ダクト４１４を含む。
【００３３】
循環ダクトには第１チャンバー１１１の空気を吸気ダクト、連結ダクト及び排気ダクトに順に移動させるファン４５が備えられるが、図２にはファン４５が連結ダクト４１４に備えられる場合が一例として示されている。
【００３４】
熱交換部４３は、吸気ダクト４１１に流入した空気を除湿し、除湿した空気を加熱できる限り、いずれの装置であってもよい。図２には熱交換部４３がヒートポンプである場合が一例として示されている。
【００３５】
即ち、図２の熱交換部４３は、冷媒の循環流路を形成する冷媒管４３８、冷媒管に固定されて連結ダクト４１４内に位置する第１熱交換器４３１、冷媒管に固定されて第１熱交換器４３１とファン４５の間に位置する第２熱交換器４３２、冷媒管に沿って冷媒を２つの熱交換器４３１，４３２の間で循環させる圧縮機４３４、及び冷媒管の圧力を調節する圧力調節器４３６を含んでなる。圧縮機４３４と圧力調節器４３６は循環ダクト４１の外部に位置する。
【００３６】
第１熱交換器４３１は吸気ダクト４１１に流入した空気の熱を冷媒に伝達して空気を冷却し、冷媒を蒸発させる蒸発器からなる。この場合、空気に含まれた水分は第１熱交換器４３１の表面に沿って移動して連結ダクト４１４の底面に集まる。
【００３７】
第２熱交換器４３２は圧縮機４３４を通過した冷媒が有する熱を第１熱交換器を通過した空気に伝達することにより、空気を加熱し、冷媒を凝縮する凝縮器からなる。
【００３８】
集水部４７は、タンク取付部１１４に備えられて水が貯蔵される空間を提供する集水タンク４７１、集水タンク４７１を貫通するように備えられた集水タンク貫通孔、集水タンク貫通孔に挿入された第１排出管４７８ａ、第１熱交換器４３１で排出される凝縮水を循環ダクトの外部に排出する第２排出管４７８ｂ、及び第２排出管４７８ｂに排出された凝縮水を第１排出管４７８ａに移動させる排出ポンプ４７８を含んでなる。
【００３９】
集水タンク４７１はタンク取付部１１４に着脱自在に設けられる。この場合、集水タンク貫通孔にはチェックバルブ４７６が備えられる。チェックバルブ４７６は第１排出管４７８ａが集水タンク貫通孔に挿入されることは許容し、集水タンク内の水が集水タンク貫通孔を介して排出されることは防止する。したがって、集水タンク４７１がタンク取付部１１４に固定されると、制御部１１５は排出ポンプ４７８により循環ダクト内の凝縮水を集水タンク４７１に移動させることができる。
【００４０】
集水タンク４７１の一面には内部に貯蔵された凝縮水を排出する排出孔４７２が備えられる。図２には排水孔４７２が集水タンクの上面に備えられた場合が一例として示されている。排水孔４７２は集水タンクに着脱自在に設けられた蓋４７４により開閉される。
【００４１】
本発明において水分供給部５は、加熱された水蒸気を第１チャンバーに供給するように備えられるか、或いは加熱されていない水蒸気(ミストなど)を第１チャンバーに供給するように備えられる。図３には水分供給部５が水を加熱することにより発生する蒸気(スチーム)を第１チャンバーに供給するように備えられた場合が一例として示されている。
【００４２】
即ち、水分供給部５は、第２チャンバー１１２に備えられてスチームを生成するスチーム発生器５１、スチーム発生器で供給されたスチームを第１チャンバー１１１に排出する噴射部５３、及びスチーム発生器に水を供給する水供給部５５からなる。
【００４３】
スチーム発生器５１は、第２チャンバー１１２内に備えられて水が貯蔵される空間を提供する貯蔵部５１１、及び貯蔵部５１１内の水を加熱するヒータ５１２を含む。貯蔵部５１１には水が流入される水供給口５１１ａ及び貯蔵部５１１内のスチームを排出するスチーム排出口５１１ｂが設けられる。
【００４４】
噴射部５３は第１隔壁１５を貫通するように備えられた第３連通孔１５４(図１を参考)に固定された噴射ボディーからなる。この場合、噴射ボディーは連結管５３２を介してスチーム排出口５１１ｂに連結され、噴射ボディー内のスチームは噴射ボディーの上面を貫通する噴射口５３１を介して第１チャンバー１１１に移動することができる。
【００４５】
水供給部５５は、タンク取付部１１４に備えられた供給タンク５５１、及び供給タンク５５１内に貯蔵された水を貯蔵部５１１に供給する供給ポンプ５５８を含む。
【００４６】
供給タンク５５１はタンク取付部１１４に着脱自在に設けられる。この場合、供給タンク５５１には供給タンクを貫通するように備えられた供給タンク貫通孔及び供給タンク貫通孔を開閉するチェックバルブ５５６が備えられ、水供給部５５は第２隔壁１７を貫通して供給タンク貫通孔に挿入される第１供給管５５８ａ及び水供給口５１１ａに連結された第２供給管５５８ｂを含む。この場合、第１供給管５５８ａに流入した水は供給ポンプ５５８によって第２供給管５５８ｂに移動する。
【００４７】
チェックバルブ５５６は第１供給管５５８ａが供給タンク貫通孔に挿入される場合のみに供給タンク貫通孔を開放する。したがって、供給タンク５５１がタンク取付部１１４に固定されると、制御部１１５は供給ポンプ５５８により貯蔵部５１１に水を供給することができる。
【００４８】
供給タンク５５１の一面には給水孔５５２が備えられる。図３には給水孔５５２が供給タンクの上面に備えられた場合が一例として示されている。給水孔５５２は供給タンクに着脱自在に設けられた蓋５５４により開閉される。
【００４９】
空気供給部４及び水分供給部５を制御する制御部１１５は第２チャンバー１１２に備えられる。
【００５０】
図１に示すように、本発明による衣類処理装置１００には、衣類を広げられたまま第１チャンバー１１１内に固定する支持部６が備えられる。支持部６は、ハンガーＨのフックＨ１が着脱自在に支持される支持バー６５と、支持バー６５の両端をキャビネットボディー１１に固定する第１連結部６１及び第２連結部６３を含む。
【００５１】
第１連結部６１は第１チャンバー１１１の上面と支持バー６５の一端を連結し、第２連結部６３は第１チャンバー１１１の上面と支持バー６５の他端を連結するように備えられる。支持バー６５にはハンガーのフックＨ１が収容されるガンカー溝６５１が設けられる。
【００５２】
さらに支持部６には、支持バー６５が第１チャンバー１１１の幅方向(Ｘ軸方向)に沿って移動するようにする駆動部６７が備えられる。
【００５３】
投入口１３及びタンク取付部１１４はドア２により開閉される。即ち、ドア２は投入口１３及びタンク取付部１１４を全て閉鎖可能な形状に形成され、第１ヒンジ２１３及び第２ヒンジ２１４によりキャビネットボディー１１に回転可能に固定される。
【００５４】
図４に示すように、ドア２は第１ヒンジ２１３と第２ヒンジ２１４によりキャビネットボディー１１に固定される第１ボディー２１と、第１ボディー２１に固定されてキャビネット１の前面を形成する第２ボディー２３を含む。
【００５５】
第１ボディー２１の両側面には第１溝２１１と第２溝２１２が備えられる。第１溝２１１は第１ボディー２１の左側面が凹んで折り曲げられて形成され、第２溝２１２は第１ボディー２１の右側面が凹んで折り曲げられて形成される。
【００５６】
第１ヒンジ２１３及び第２ヒンジ２１４が第１ドア２１の右側に備えられる場合(図４の場合)、ユーザは第１溝２１１をハンドルとして活用できる。反面、第１ヒンジ２１３及び第２ヒンジ２１４が第１ドア２１の左側に備えられる場合には、ユーザは第２溝２１２をハンドルとして活用することができる。
【００５７】
第１ボディー２１には制御パネル３が固定される制御パネル取付溝(第３取付溝)が設けられる。第３取付溝２１５は第１ボディー２１の表面が凹んで折り曲げられた溝からなる。
【００５８】
制御パネル３は制御命令が表示される表示部３１及びユーザからの制御命令が入力される入力部３２，３４，３６を備える。入力部は、制御部１１５及び供給部４，５に電力を供給するという制御命令が入力される第１入力部３２、衣類処理装置に備えられたコース(処理行程)の選択命令が入力される第２入力部３４、及び選択されたコースの開始命令又は中断命令が入力される第３入力部３６を含む。第２ボディー２３には表示部３１及び入力部３２，３４，３６をドア２の外部に露出させる透明領域２３１が備えられる。
【００５９】
ドア２にはユーザが発する音声を認識して、認識した音声に対応する制御命令を制御部１１５に送信する音声認識部７が備えられる。音声認識部７はドア２に固定されてドアの上面、ドアの左側面、ドアの右側面及びドアの下面のいずれかの面を形成するように備えられる。図４には音声認識部７がドアの上面を形成するように備えられた場合が一例として示されている。
【００６０】
図５に示すように、音声認識部７は、ドア２の上面を形成する取付ボディー７１、取付ボディー７１から突出した収容チャンバー７２１を形成するチャンバー形成部７２、取付ボディー７１に固定されて収容チャンバー７２１内に位置してユーザの音声を電気的信号に変換するマイクロホン７２５、及びチャンバー形成部７２を貫通して収容チャンバー７２１に連通する連通孔７２２を含んでなる。連通孔７２２はチャンバー形成部７２を貫通する２つ以上の孔からなる。
【００６１】
図４に示すように、第１ボディー２１の上面には取付ボディー７１が固定される認識部取付溝２１６(第１取付溝)が備えられる。第１取付溝２１６は第１ボディー２１の上面が凹んで折り曲げられた溝からなる。この場合、収容チャンバー７２１及び連通孔７２２は第１取付溝２１６の外部に位置する。これにより、ユーザの音声をマイクロホン７２５に容易に伝達することができる。
【００６２】
図５に示すように、取付ボディー７１の両端には取付ボディー７１を第１取付溝２１６に固定する締結リブ７１１が備えられる。締結リブ７１１は取付ボディー７１の対向する両端に備えられ、締結リブ７１１にはボルトなどの締結部材が貫通する締結孔が備えられる。
【００６３】
一方、取付ボディー７１の下面にはＰＣＢ(ｐｒｉｎｔｅｄ ｃｉｒｃｕｉｔ ｂｏａｒｄ、７３)が取り付けられる空間を提供するＰＣＢ収容溝７１２が備えられる。ＰＣＢ収容溝７１２は取付ボディー７１の下面が収容チャンバー７２１が位置した上面に向かって凹んで折り曲げられた溝からなる。ＰＣＢ収容溝７１２は収容チャンバー７２１に連通し、収容チャンバー７２１の下部に位置する。したがって、ＰＣＢ７２３がＰＣＢ収容溝７１２に固定されると、ＰＣＢ７２３に固定されたマイクロホン７２５は収容チャンバー７２１に位置する。
【００６４】
さらに音声認識部７は、第１ボディー２１に固定されてマイクロホン７２５で送信される音声をテキスト又はコードに変換し、変換されたテキストやコードを制御部１１５に送信する分析器７３を含む。分析器７３の固定のために、第１ボディー２１にはさらに第２取付溝２１７が備えられる。第２取付溝２１７は第１ボディー２１の表面が凹んで折り曲げられた溝からなり、第３取付溝２１５の上部に位置する。
【００６５】
さらに本発明は、第１ボディー２１と第２ボディー２３の間に備えられてサウンド信号を発生するサウンド発生部８１を有する。サウンド発生部８１はマイクロホン７２５が録音を開始する時点を知らせるサウンド信号を発生する手段であり、図４にはサウンド発生部８１が第２取付溝２１７に備えられた場合が一例として示されている。
【００６６】
サウンド発生部８１は、分析器７３がユーザの音声をテキスト又はコードに変換できなかった場合、音声認識に失敗したことを知らせるサウンド信号を発生する。さらにサウンド発生部８１は、分析器７３がユーザの音声をテキスト又はコードに変換することが完了すると、音声認識に成功したことを知らせるサウンド信号を発生する。
【００６７】
第２ボディー２３は第１ボディー２１の縁部に沿って備えられたテープ２５１，２５３により第１ボディー２１の前面に固定される。この場合、テープ２５１，２５３にはさらに第１ボディー２１と第２ボディー２３の間に形成された空間をドア２の外部に連通させるテープ貫通孔２５２，２５４が備えられることが好ましい。これにより、サウンド発生部８１で発生したサウンド信号をドア２の外部に伝達することができる。
【００６８】
テープは第１ボディー２１が提供する空間のうち、第２ボディー２３に向かう面の左側縁部及び右側縁部にそれぞれ備えられた第１テープ２５１及び第２テープ２５３からなる。この場合、テープ貫通孔は、第１テープ２５１を貫通するテープ第１貫通孔２５２及び第２テープ２５３を貫通するテープ第２貫通孔２５４からなり、サウンド発生部８１はテープ第１貫通孔２５２とテープ第２貫通孔２５４の間に位置することが好ましい。
【００６９】
第２取付溝２１７にはさらに警報部８３が備えられる。警報部８３は入力部３２，３４，３６で制御命令が入力される場合又は選択された制御命令の実行中にエラーが発生した場合にサウンド信号を発生する手段である。警報部８３もテープ第１貫通孔２５２とテープ第２貫通孔２５４の間に位置することが好ましい。
【００７０】
制御パネル３、音声認識部７、サウンド発生部８１及び警報部８３はワイヤ９１，９３により制御部１１５に連結される。ワイヤはドア２に備えられたドアワイヤ９１と制御部１１５に連結された制御部ワイヤ９３からなる。ドアワイヤ９１の自由端には第１締結部９１７が備えられ、制御部ワイヤ９３の自由端には第１締結部９１７に着脱自在に結合する第２締結部９３１が備えられる。
【００７１】
ドアワイヤ９１は制御パネル３に備えられたパネルワイヤ９１１、ＰＣＢ７２３に備えられた認識部ワイヤ９１２、サウンド発生部８１に備えられた発生部ワイヤ９１４及び警報部８３に備えられた警報部ワイヤ９１５からなる。
【００７２】
第２取付溝２１７をはじめとするワイヤ９１，９３が第２ボディー２３を介してドア２の外部に露出されることを防止するために、第２ボディー２３は透明領域２３１を除いた領域が不透明領域であることが好ましい。
【００７３】
本発明は様々な形態に変形して実施でき、上記実施例に本発明の権利範囲が限定されない。従って、変形した実施例が本発明の特許請求の範囲の構成要素を含んでいる場合、本発明の権利範囲に属するものと解釈できる。
【図１】
2021535781.tif 000003
【図２】
2021535781.tif 000004
【図３】
2021535781.tif 000005
【図４】
2021535781.tif 000006
【図５】
2021535781.tif 000007
【国際調査報告】
2021535781.tif 000008
2021535781.tif 000009
2021535781.tif 000010
2021535781.tif 000011